(57)【要約】【課題】地震によって原子炉圧力容器上蓋が一時的に上蓋保持装置から浮き上がって落下し、この落下により上蓋保持装置に過大な荷重がかかるのを防止する。【解決手段】オペレーティングフロアーに固定され、上蓋１６が載置される載置面をそれぞれ備えた複数の支持台１と、前記支持台のピン３上面に開口して軸線を上下方向にして形成された雌ねじに下端が螺着されるロッド９と、ロッド９に着脱可能に外嵌されるストッパ１０と、ロッド９の上部に形成された雄ねじに螺合するナット１１と、を含んで構成され、ロッド９は、上蓋が支持台１に載置された状態で前記ボルト穴に挿通されてその下端が支持台の前記雌ねじに螺着され、ストッパ１０はピン３に螺着されたロッド９に外嵌されて前記フランジ部１８の上面にその下面を当接させ、前記ナットは、ロッド９の雄ねじに螺合されてその下面をストッパ１０上面に当接させる。【選択図】　　　　図１
2004045260.tif 000002
【特許請求の範囲】
【請求項１】
原子炉建屋内のオペレーティングフロアーに設置され、原子炉圧力容器本体に締結するためのボルト穴をフランジに備えた上蓋が載置される原子炉圧力容器上蓋保持装置であって、前記オペレーティングフロアーに固定され、上蓋が載置される載置面をそれぞれ備えた複数の支持台と、この支持台上端に着脱可能に設けられて、支持台に載置された上蓋の前記載置面に対する上方への相対移動を抑止する抑止手段と、を有してなることを特徴とする原子炉圧力容器上蓋保持装置。
【請求項２】
請求項１に記載の原子炉圧力容器上蓋保持装置において、前記抑止手段は、支持台に載置された上蓋を、上蓋の前記ボルト穴に挿通されて支持台に繋止する棒状部材を備えたことを特徴とする原子炉圧力容器上蓋保持装置。
【請求項３】
請求項２に記載の原子炉圧力容器上蓋保持装置において、
前記支持台は、その上面に開口して軸線を上下方向にして形成された雌ねじを備え、前記抑止手段は、下端が支持台に形成された前記雌ねじに軸線を上下方向にして着脱可能に螺着され、かつ前記ボルト穴に挿通可能な大きさの棒状部材と、この棒状部材に着脱可能に外嵌される、前記ボルト穴の径より大きい外径を持つ押さえ冶具と、この押さえ冶具の前記棒状部材が通る孔の内径よりも大きい外径を有し、前記棒状部材の上部に形成された雄ねじに螺合するナットと、を含んで構成され、前記棒状部材は、上蓋が支持台に載置された状態で前記ボルト穴に挿通されてその下端が支持台の前記雌ねじに螺着されるとともに、雄ねじが形成された部分を上蓋フランジのボルト穴上方に突出させ、前記押さえ治具は支持台に螺着された前記棒状部材に外嵌されて前記フランジの上面にその下面を当接させ、前記ナットは、前記棒状部材の雄ねじに螺合されてその下面を前記押さえ治具上面に当接させることを特徴とする原子炉圧力容器上蓋保持装置。
【請求項４】
請求項２に記載の原子炉圧力容器上蓋保持装置において、
前記支持台は、その上面に開口して軸線を上下方向にして形成された雌ねじを備え、前記抑止手段は、下端が支持台に形成された前記雌ねじに軸線を上下方向にして着脱可能に螺着され、かつ前記ボルト穴に挿通可能な大きさの棒状部材と、この棒状部材に固着もしくは一体に形成され、前記ボルト穴の径より大きい外径を持つ押さえ冶具と、を含んで構成され、前記棒状部材は、上蓋が支持台に載置された状態で前記ボルト穴に挿通されてその下端が支持台の前記雌ねじに螺着されるとともに、前記押さえ治具が固着もしくは形成された部分を上蓋フランジのボルト穴上方に突出させ、前記押さえ治具は前記フランジの上面にその下面を当接させることを特徴とする原子炉圧力容器上蓋保持装置。
【請求項５】
請求項３または４に記載の原子炉圧力容器上蓋保持装置において、前記支持台は、上蓋載置時の位置決め用ガイドである位置決めピンをその上部に有してなり、前記雌ねじは、前記位置決めピン上部に軸線を上下方向にして形成されていることを特徴とする原子炉圧力容器上蓋保持装置。
【発明の詳細な説明】
【０００１】
【発明が属する技術分野】
本発明は、原子炉建屋内のオペレーティングフロアーに設置される原子炉圧力容器上蓋保持装置に関する。
【０００２】
【従来の技術】
原子炉圧力容器は、円筒状の胴とその下部に連なる下鏡よりなる中空構造の圧力容器本体と、圧力容器本体の上端に圧力容器本体の内部空間を閉止するために締結された上蓋とを含んで構成されている。原子炉の定期検査時には、上蓋は取り外されて原子炉建屋のオペレーティングフロアーに仮置きされる。
【０００３】
図８に原子炉圧力容器の概要と原子炉の定期検査時に行われる上蓋の取り外しと原子炉建屋のオペレーティングフロアーの仮置き位置までの移動を示す。
【０００４】
圧力容器本体１４の上端部に形成されている本体フランジ部１７に、周方向に等間隔に複数のスタッドボルト１９が取り付けられ、上蓋１６は、その周縁部のフランジ部１８に設けたボルト穴に前記スタッドボルト１９を貫通させて本体フランジ部１７に取付けられ、ナット２０で締めつけられている。
【０００５】
原子炉圧力容器の定期点検時には、ナット２０を取り外した後、天井クレーン等の揚重手段２２によって上蓋１６を吊上げ、圧力容器本体１４の内部の点検整備が行われる。この時、上蓋１６は、原子炉建屋内のオペレーティングフロア２１の上蓋仮置きエリア２１ａに設置されている原子炉圧力容器上蓋保持装置（以下、上蓋保持装置という）１に定期点検期間中仮置きされる。上蓋１６に対しては、この上蓋保持装置１上で、上蓋１６に取り付けられているＯリングの交換、シート面の清掃、内外面の清掃・点検等が実施される。
【０００６】
図９〜図１５に従来の上蓋保持装置の構造を示す。図９は図８のＤ−Ｄ線矢視平面図で、上蓋仮置きエリア全体配置を示し、図１０は上蓋仮置きエリアにある上蓋保持装置の平面図を、図１１は図１０のＣ−Ｃ線矢視側面を示す。図１２に上蓋保持装置の側面図と平面図を、図１３に上蓋保持装置に上蓋を置いた状態の側面図を、図１４に上蓋のシート面の拡大断面図を、図１５に上蓋保持装置に上蓋を置いた状態の平面図を、それぞれ示す。
【０００７】
図９〜図１１に示すように上蓋保持装置１は、図８に示すオペレーティングフロア２１に配置された上蓋仮置きエリア２１ａに、円周上に等間隔に少なくとも３箇所に分散配置され、基礎ボルト２３によりフロアー２４に固定されている。
【０００８】
上蓋保持装置１は、図１２，図１３に示すように、３基の支持台で構成され、フロアー２４に基礎ボルト２３により固定されるベースプレート２と、ベースプレート２に放射状に立設され、上端にプレート５が水平に固着される８枚のサポート４と、このプレート５の上面にボルト８で固着されたパッド６と、前記プレート５に軸線を垂直にして固着された位置決め用のピン３と、プレート５の内周側、つまりプレート５に対して、載置される上蓋１６の内周側となる位置で、前記サポート４の上部に固定されたＯリング受台７と、を含んで構成される。
【０００９】
ピン３は、上蓋１６の横ずれを防止するため、上蓋１６のフランジ部１８のボルト穴１８ａに挿入するようにしており、先端は上蓋１６を支持台１に載置する際のガイドとなるようにテーパー形状となっている。サポート４は、上蓋１６の質量を支える主要な部分である。プレート５とパッド６は、上蓋１６を受ける台で、パッド６が上蓋１６の直接に接する部分（載置面）であり、パッド６は、上蓋１６を載置する時の衝撃吸収のためと、上蓋１６に傷をつけないようにするため上蓋１６よりもやわらかい材質のアルミニウム等を使用し、ボルト８によりプレート５に取り付けられる。
【００１０】
支持台１は、上蓋１６の下端のシート面１６ａを傷つけない位置にパッド６を当接させて上蓋１６を載置できる構造としてある。また、シート面１６ａのＯリング溝に取り付けるＯリングの交換、シート面１６ａの清掃や上蓋１６の内面１６ｄの清掃・点検等のため、上蓋１６の内側にアクセスしやすいようにフロアー２４から人員が入れる高さａに、上蓋１６を設置できる高さとし、図２に示すように円周３箇所に配置することにより横方向からのアクセスエリアｂも確保している。
【００１１】
一方、上蓋１６を原子炉建屋のオペレティングフロアー上で移動させる際は、クレーン等の揚重手段で吊上げるときの吊上げ限界等から、上蓋１６移動時のオペレティングフロアー上の上蓋１６の下端の高さには上限ｃがある。したがって、上蓋１６を移動させるとき、上蓋１６が支持台１と干渉しないようにするために、支持台１の高さｈは、前記上限ｃを超えないような高さとなっている。
【００１２】
【発明が解決しようとする課題】
上記従来の上蓋保持装置１は、上蓋１６を上蓋保持装置１に仮置しているときに地震が起きた場合の、地震動による上蓋１６の浮き上がりについては配慮していない。地震による上蓋１６の一時的浮き上がりが生じた場合、上蓋保持装置１は浮き上がった上蓋１６が落下するときに、上蓋１６の質量よりも大きな荷重を受けることとなる。従来の上蓋保持装置は、地震時に、地震動によって上蓋が一時的に上蓋保持装置から浮き上がって落下することによる過大な荷重を支える構造となっていない。
【００１３】
本発明の目的は、地震時に、地震動によって原子炉圧力容器上蓋が一時的に上蓋保持装置から浮き上がって落下し、この落下により上蓋保持装置に過大な荷重がかかるのを防止することにある。
【００１４】
【課題を解決するための手段】
上記目的を達成する本発明の第１の手段は、原子炉建屋内のオペレーティングフロアーに設置され、原子炉圧力容器本体に締結するためのボルト穴をフランジに備えた上蓋が載置される原子炉圧力容器上蓋保持装置であって、前記オペレーティングフロアーに固定され、上蓋が載置される載置面をそれぞれ備えた複数の支持台と、この支持台上端に着脱可能に設けられて、支持台に載置された上蓋の前記載置面に対する上方への相対移動を抑止する抑止手段と、を有してなることを特徴とする。
【００１５】
上記構成によれば、上蓋の保持装置の上端に上蓋の浮き上がりを防止する抑止手段を設置したので、上蓋に加わる浮き上がり荷重を効率よく上蓋保持装置で受けることができるため、構造を大きくすることなく、シンプルな構造で上蓋の浮き上がりを防止できる。また、支持台に設けられる抑止手段を取り外しのできる構造としたので、上蓋の保持装置の高さを高くする必要がなく、オペレーティングフロアーでの上蓋の移動に支障がない。
【００１６】
上記目的を達成する本発明の第２の手段は、前記第１の手段において、前記抑止手段を、支持台に載置された上蓋を、上蓋の前記ボルト穴に挿通されて支持台に繋止する棒状部材を備えて構成したことを特徴とする。
【００１７】
上記目的を達成する本発明の第３の手段は、前記第２の手段において、前記支持台は、その上面に開口して軸線を上下方向にして形成された雌ねじを備えたものとし、前記抑止手段は、下端が支持台に形成された前記雌ねじに軸線を上下方向にして着脱可能に螺着され、かつ前記ボルト穴に挿通可能な大きさの棒状部材と、この棒状部材に着脱可能に外嵌される、前記ボルト穴の径より大きい外径を持つ押さえ冶具と、この押さえ冶具の前記棒状部材が通る孔の内径よりも大きい外径を有し、前記棒状部材の上部に形成された雄ねじに螺合するナットと、を含んで構成されたものとし、前記棒状部材は、上蓋が支持台に載置された状態で前記ボルト穴に挿通されてその下端が支持台の前記雌ねじに螺着されるとともに、雄ねじが形成された部分を上蓋フランジのボルト穴上方に突出させ、前記押さえ治具は支持台に螺着された前記棒状部材に外嵌されて前記フランジの上面にその下面を当接させ、前記ナットは、前記棒状部材の雄ねじに螺合されてその下面を前記押さえ治具上面に当接させるように構成したことを特徴とする。
【００１８】
上記目的を達成する本発明の第４の手段は、前記第２の手段において、前記支持台は、その上面に開口して軸線を上下方向にして形成された雌ねじを備え、前記抑止手段は、下端が支持台に形成された前記雌ねじに軸線を上下方向にして着脱可能に螺着され、かつ前記ボルト穴に挿通可能な大きさの棒状部材と、この棒状部材に固着もしくは一体に形成され、前記ボルト穴の径より大きい外径を持つ押さえ冶具と、を含んで構成され、前記棒状部材は、上蓋が支持台に載置された状態で前記ボルト穴に挿通されてその下端が支持台の前記雌ねじに螺着されるとともに、前記押さえ治具が固着もしくは形成された部分を上蓋フランジのボルト穴上方に突出させ、前記押さえ治具は前記フランジの上面にその下面を当接させることを特徴とする。
【００１９】
前記支持台は、上蓋載置時の位置決め用ガイドである位置決めピンをその上部に有し、前記雌ねじは、前記位置決めピン上部に軸線を上下方向にして形成されていることが望ましい。
【００２０】
【発明の実施の形態】
本発明の第１の実施の形態に係る上蓋保持装置を図１〜図５を参照して説明する。図１は本実施の形態の上蓋保持装置に上蓋が載置された状態の側面断面図を示し、図２は図１のＡ−Ａ線矢視平面図である。図３は図１の上蓋保持装置の詳細を示す側面（一部断面）図で、図４は図３のＢ−Ｂ線矢視平面図である。図５は、蓋保持装置の部品構成を示す側面図である。
【００２１】
本実施の形態の上蓋保持装置は、図１〜図２に示すように、オペレーティングフロアー２１の上蓋仮置きエリアのフロアー２４に、円周上に分散配置された３基の支持台１と、この支持台１それぞれに設けられた抑止手段３０とを含んで構成されている。
【００２２】
支持台１は、図３に示すように、フロアー２４に基礎ボルト２３により固定された八角形の金属製のベースプレート２と、このベースプレート２に放射状に立設固着された８個の板状の金属からなるサポート４と、この８個のサポート４の上端部に水平に固着された長方形の金属板からなるプレート５と、このプレート５パッド６上面に軸線を上下方向にして固着された金属製の位置決めピン（以下、ピンという）３と、前記プレート５上面にボルト８で固着されたパッド６と、プレート５の内周側、つまりプレート５に対して、載置される上蓋１６の内周側となる位置で、前記サポート４の上部に固定されたＯリング受台７と、を含んで構成される。
【００２３】
ピン３は、上蓋１６の横ずれを防止するため、上蓋１６のフランジ部１８のボルト穴１８ａに挿入するようにしており、先端は上蓋１６を支持台１に載置する際のガイドとなるようにテーパー形状となっている。サポート４は、上蓋１６の質量を支える主要な部分である。プレート５とパッド６は、上蓋１６を受ける台で、パッド６が上蓋１６の直接に接する部分（載置面）であり、パッド６は、上蓋１６を載置する時の衝撃吸収のためと、上蓋１６に傷をつけないようにするため上蓋１６よりもやわらかい材質のアルミニウム等を使用し、ボルト８によりプレート５に取り付けられる。
【００２４】
支持台１は、上蓋１６の下端のシート面１６ａを傷つけない位置にパッド６を当接させて上蓋１６を載置できる構造としてある。また、シート面１６ａのＯリング溝に取り付けるＯリングの交換、シート面１６ａの清掃や上蓋１６の内面１６ｄの清掃・点検等のため、上蓋１６の内側にアクセスしやすいようにフロアー２４から人員が入れる高さａに、上蓋１６を設置できる高さとし、図２に示すように円周３箇所に配置することにより横方向からのアクセスエリアｂも確保している。
【００２５】
一方、上蓋１６を原子炉建屋のオペレティングフロアー上で移動させる際は、クレーン等の揚重手段で吊上げるときの吊上げ限界等から、上蓋１６移動時のオペレティングフロアー上の上蓋１６の下端の高さには上限ｃがある。したがって、上蓋１６を移動させるとき、上蓋１６が支持台１と干渉しないようにするために、支持台１の高さｈは、前記上限ｃを超えないような高さとなっている。
【００２６】
上記支持台の構造は従来構造と同じで、本実施の形態における支持台の特徴は、ピン３の上端に軸線を上下方向にした雌ねじを設けた点である。ピン３の先端は、上蓋１６を上蓋保持装置１に置く際の案内のテーパー形状を確保し、ねじ穴と雌ねじをを設けてある。
【００２７】
支持台１それぞれに設けられる前記抑止手段３０は、下端に前記ピン３の雌ねじに螺合される雄ねじを、上部にナット１１が螺合される雄ねじを、それぞれ備えた棒状部材であるロッド９と、上蓋１６のフランジ部１８のボルト穴１８ａに挿通され、とともに上部が上蓋１６のフランジ部１８の上方に突出する長さの棒状部材であるロッド９と、このロッド９の上部の雄ねじの下方に嵌め込まれる押え冶具であるストッパ１０と、前記ナット１１と、ロッド９の上部の雄ねじの上方に軸線に直交する方向に形成された貫通穴に嵌め込まれるハンドル１３と、ロッド９の上端に取付けられた吊り上げ、運搬用のアイボルト１２と、を含んで構成されている。ロッド９、ストッパ１０、ナット１１、アイボルト１２、ハンドル１３はいずれも鋼製である。
【００２８】
前記ストッパ１０は、中央部に前記ロッド９が挿通される穴を備えた筒状をなしており、外径は上蓋１６のボルト穴１８ａの内径よりも大きくしてある。ストッパ１０の下面（フランジ部１８に対向する面）には、フランジ部１８のボルト穴に嵌りこむ環状の突起が形成されている。また、ナット１１の外径は、ストッパ１０の中央部の穴の内径よりも大きく、ロッド９に挿通されたストッパ１０を、上蓋１６のフランジ部１８上面に締めつけるようになっている。
【００２９】
ロッド９の長さは、下端部の雄ねじが前記ピン３の雌ねじにその全長で螺合された状態で上蓋１６が支持台に載置されたとき、ロッド９の上部の雄ねじの部分が上蓋１６のフランジ部１８のボルト穴１８ａの上部に位置する長さになっている。また、ロッド９の径は、上蓋１６のフランジ部１８のボルト穴１８ａの内径よりも小さくしてある。
【００３０】
ハンドル１３は、ロッド９をピン３の雌ねじにねじ込むために用いられるもので、ストッパ１０，ナット１１を取り付ける時、干渉するため取り外し可能なタイプとしている。アイボルト１２は、ストッパ１０，ナット１１の穴を通り抜けることができる大きさのものとしてある。
【００３１】
ロッド９，ストッパ１０，ナット１１は、設計時に想定される地震力による上蓋１６の浮き上がり荷重に耐えうる大きさとしてある。
【００３２】
支持台１への抑止手段３０の取付は、次の手順で行われる。抑止手段３０が支持台１に取付けられていない状態で、上蓋１６が支持台１に載置される。上蓋１６が支持台１に載置された状態では、ピン３は上蓋１６のフランジ部１８に形成されたボルト穴１８ａに嵌りこんでいる。
【００３３】
上蓋１６が支持台１に載置された後、アイボルト１２でロッド９を吊ってハンドル１３をロッド９の貫通穴に取付け、上蓋１６のフランジ部１８に形成されたボルト穴１８ａに挿入する。ハンドル１３を用いてロッド９下端をピン３上端部の雌ねじに位置合わせし、ねじ込んで取付ける。ロッド９がピン３の雌ねじにねじ込まれたらハンドル１３を外し、ストッパ１０をロッド９に嵌め込み、ストッパ１０の前記環状の突起をボルト穴１８ａに嵌合させ、位置決めする。次いで、その上からナット１１をロッド９に嵌め込み、ロッド９上部の雄ねじにねじ込んで、ストッパ１０をフランジ部１８上面に当接、固定する。
【００３４】
この状態で、上蓋１６は、フランジ部１８上面に当接したストッパ１０、ストッパ１０の上面に当接するナット１１、ナット１１が螺合したロッド９、ロッド９がねじ込まれたピン３を介して支持台１に係止され、地震力によって上蓋１６に上向きの力が加わっても、支持台１のパッド６から浮き上がるのが抑止される。
【００３５】
前記抑止手段３０は、支持台１の上端に設けられ、浮き上がり荷重を効率よく受けることができ、装置を大きくすることなく設置できる。このように、本実施の形態に係る上蓋保持装置は、従来構造の上蓋保持装置を大きく変更することなく、シンプルに構成することができる。
【００３６】
本実施の形態によれば、設計時に想定される地震が発生した際に、上蓋１６の支持台１からの浮き上がりを防止すると共に、図１に示す人員が入れる高さａや、上蓋１６のシート面のＯリング溝に取り付けるＯリングの交換、シート面の清掃、上蓋１６の内面清掃・点検等のため、上蓋１６の内側にアクセスするのに必要な高さ（図１に示す人員が入れる高さａ）や、範囲（図２に示すアクセスエリアｂ）は従来と同じ寸法を確保できる。また、抑止手段３０は支持台１に対して着脱可能な鋼製としてあるので、上蓋１６を支持台に載置したり、支持台から外してオペレーティングフロア上を移動する場合も、上蓋１６下端のオペレーティングフロアからの高さは、従来技術の上蓋保持装置の場合と同じでよく、従来技術で説明した図８に示すような高さの制限ｃを重分満たすことが可能である。
【００３７】
図６に本発明の第２の実施の形態を示す。図６に示す第２の実施の形態と前記第１の実施の形態の相違点は、ロッド９の上下の雄ねじの間に、径がストッパ１０の穴の内径よりも大きい拡大部９ａを設けた点である。拡大部９ａを設けることにより、ロッド９を取付・取外しするときに、ロッド９にストッパ１０が引っかかるから、ロッド９にストッパ１０とナット１１を取付けたまま取扱できる。本実施の形態によれば、前記第１の実施の形態の効果に加え、抑止手段の取扱の手数が軽減されるという効果がある。
【００３８】
図７に本発明の第３の実施の形態を示す。図７に示す第３の実施の形態と前記第１の実施の形態の相違点は、ストッパ１０とロッド９を一体化し、ロッド９上部の雄ねじ及びナット１１をなくした点である。これに伴ない、ロッド９のストッパ１０下面から先端までの長さＳ２を、ピン３に形成された雌ねじの下端から支持台に載置された上蓋１６のフランジ部１８の上面までの高さＳ１よりも小さくした。また、ロッド９のストッパ１０下面から先端の雄ねじの上端までの長さをＳ６、ロッド９の先端の雄ねじの長さをＳ３、支持台に載置された上蓋１６のフランジ部１８の上面からピン３の上端までの距離をＳ７、としたとき、Ｓ６＜Ｓ７＜Ｓ２、Ｓ２＝Ｓ３＋Ｓ６としてある。また、Ｓ２−Ｓ７の長さは、設計において想定される地震時に、上蓋１６に加わる上向きの力に対して十分耐え得る長さとしてある。
【００３９】
本実施の形態によれば、前記第１の実施の形態の効果に加え、抑止手段の構成が更に簡素化され、取扱の手数が軽減された。
【００４０】
【発明の効果】
本発明によれば、設計時に想定される地震が発生し、オペレーティングフロアに仮置き中の原子力圧力容器上蓋に、垂直上方向に力が加わっても、上蓋が上蓋保持装置から浮き上がるのを防止できる。
【図面の簡単な説明】
【図１】本発明の第１の実施の形態を示す一部断面側面図である。
【図２】図１のＡ−Ａ線矢視平面図である。
【図３】図１に示す実施の形態の詳細を示す一部断面側面図である。
【図４】図１のＢ−Ｂ線矢視平面図である。
【図５】図３に示す実施の形態の部品の詳細を示す側面図である。
【図６】本発明の第２の実施の形態を示す一部断面側面図である。
【図７】本発明の第３の実施の形態を示す一部断面側面図である。
【図８】原子炉圧力容器の側断面と上蓋移動を示す断面図である
【図９】オペレーティングフロアの上蓋の仮置きエリアを示す平面図である。
【図１０】従来技術による上蓋保持装置を示す平面図である。
【図１１】図１０のＣ−Ｃ線矢視側面図である。
【図１２】従来技術による上蓋保持装置を示す平面図と側面図である。
【図１３】従来技術による上蓋保持装置に上蓋を置いた状態を示す一部断面側面図である。
【図１４】図１３の上蓋シート面のＯリング溝部の詳細を示す断面図である。
【図１５】従来技術による上蓋保持装置に上蓋を置いた状態を示す平面図である。
【符号の説明】
１　支持台
２　ベースプレート
３　ピン
４　サポート
５　プレート
６　パッド
７　Ｏリング受台
８　ボルト
９　ロッド
１０　ストッパ
１１　ナット
１２　アイボルト
１３　ハンドル
１４　圧力容器本体
１５　下鏡
１６　上蓋
１６ａ　シート面
１６ｂ　Ｏリング溝
１６ｃ　Ｏリング
１６ｄ　上蓋内面
１７　本体フランジ部
１８　フランジ部
１８ａ　ボルト穴
１９　スタッドボルト
２０　ナット
２１　オペレーティングフロア
２１ａ　上蓋仮置きエリア
２２　揚重手段
２３　基礎ボルト
２４　フロアー
【図１】
2004045260.tif 000003
【図２】
2004045260.tif 000004
【図３】
2004045260.tif 000005
【図４】
2004045260.tif 000006
【図５】
2004045260.tif 000007
【図６】
2004045260.tif 000008
【図７】
2004045260.tif 000009
【図８】
2004045260.tif 000010
【図９】
2004045260.tif 000011
【図１０】
2004045260.tif 000012
【図１１】
2004045260.tif 000013
【図１２】
2004045260.tif 000014
【図１３】
2004045260.tif 000015
【図１４】
2004045260.tif 000016
【図１５】
2004045260.tif 000017